(57)【要約】ドア板１１が開かれる角度を制限する保安システムは、それがドア板１１の開閉を妨害しない不作動位置からそれが所定の制限角度を超えたドア板１１の開放を妨害する作動位置まで選択的に作動される。そのシステムは、使用時にドア板１１の開口縁に隣接して装着されるシャシ１４と、シャシ１４に装着された電気的作動子１７、２８、３６と、作動子と連携して動作する腕１８、２９、３７とからなる。いかなる空動き機構なしに、作動子が腕を駆動する。【選択図】図１
2004538405.tif 000002
【特許請求の範囲】
【請求項１】
ドア板が開かれる角度を制限する保安システムであって、ドア板の開閉を妨害しない不作動位置からそれが所定の制限角度を超えた前記ドア板の開放を妨害する作動位置まで選択的に作動され、使用時にドア板の開口縁に隣接して装着されるシャシと、該シャシに装着された電気的作動子と、いかなる空動き機構なしに前記作動子によって駆動されるように前記作動子と連携して動作する腕とからなることを特徴とした、保安システム。
【請求項２】
前記電気的作動子は前記腕を回転駆動する、請求項１に記載の保安システム。
【請求項３】
前記電気的作動子はモータであり、前記腕は前記モータの出力シャフトが回転したとき該腕がそれに伴って回転するように前記モータの出力シャフトに直接装着されている、請求項１または２に記載の保安システム。
【請求項４】
シャシ装着手段は、使用のさいにシャシが装着されるとき、中間ドア・フレーム等に主に固定されると言うよりはむしろ壁、隔壁またはその他のドアを包囲する基礎荷重支持構造体に主に固定される種類のものである、前記請求項のうち任意の一項に記載の保安システム。
【請求項５】
前記電気的作動子はモータであり、該モータは使用のさいに非歩進（step-by-step）回転を発生するように直流の下で動作する、前記請求項のうち任意の一項に記載の保安システム。
【請求項６】
前記腕は、その不作動位置からそのドア板妨害位置まで動くとき、約１２０度以下の回転をする、前記請求項のうち任意の一項に記載の保安システム。
【請求項７】
前記不作動位置から前記妨害位置までの腕の枢動円弧は、３０−１００度の範囲内にある、請求項６に記載の保安システム。
【請求項８】
前記不作動位置から前記妨害位置までの腕の枢動円弧は、９０−１００度の範囲内にある、請求項７に記載の保安システム。
【請求項９】
前記電気的作動子は、ギヤーを取り外した１２ボルト・モータである、前記請求項のうち任意の一項に記載の保安システム。
【請求項１０】
ドア板の任意の開口−または特定の検知圧力を超える意図された開口−が、例えば、紫外線によって弁別される種類の液体システムからのダンピングを自動的に誘発し、任意の液体を付けた人が一旦同定されてしまうと、その特別の液体から起こる保安システムが疑いの余地なく確立されることを特徴とした、前記請求項のうち任意の一項に記載の保安システム。
【請求項１１】
使用中のシャシを前記主包囲荷重支持構造体に固定する手段が、もし必要ならば前記ドア板を包囲するフレームを通過し、ドアを包囲する前記主荷重支持構造体まで一体にして通過するのに十分な長さの角根丸頭ボルト等からなる、前記請求項のうち任意の一項に記載の保安システム。
【請求項１２】
前記電気的作動子はモータであり、前記ドア板妨害位置へおよびそこから外れる前記腕の動きは、その他の腕強制手段を実質的に採用せずに、前記モータ出力シャフトの回転によって単独になされる、前記請求項のうち任意の一項に記載の保安システム。
【請求項１３】
前記電気的作動子は、離間されている間に前記ドア板の面にほぼ平行な作用線にそって前記ドア板妨害位置へおよびそこから外れて腕を変移させる、請求項１に記載の保安システム。
【請求項１４】
前記不作動位置にある腕がドア板隣接縁の軸を横切らないように、前記電気的作動子と連携して動作する、請求項１に記載の保安システム。
【請求項１５】
明細書および図面の適切な組合せを実質的に参照しかつ図示された保安システム。
【請求項１６】
前記請求項のうち任意の一項にもとづく保安システムを組み込んだドア装置。
【発明の詳細な説明】
【技術分野】
【０００１】
本発明は、ドア保安システムに関し、特にドア板が開放される角度を拘束するための保安システムに関する。
【背景技術】
【０００２】
概要を述べる目的に適した保安システムは広く知られており、それらのいくつかの例は例えば、公開されたＰＣＴ特許出願第ＷＯ００／７３６０９Ａ１（ＲＳＤ  イノヴェイションズ  リミテッド）において検討され、いくつかの引用文献が調査のさいにその請求項に対してもたらされた。
【０００３】
文献ＷＯ００／７３６０９Ａ１は、本出願人にとって最近知られた最も近い従来技術であり、ドア板の開口を物理的に妨害する可動腕の基本原理が理に適っている。この原理は、本発明の骨格を形成し、文献ＷＯ００／７３６０９Ａ１は本発明の出発点を形成する。
【０００４】
この文献は、ドア保安システムのいくつかの異なる実施例を記載し、図示している。各実施例は本質的に複雑である。
【０００５】
これらの実施例の１つは、使用のさいにドア板の縁に隣接して装着されるシャシに支持された腕からなる。腕はドア保持タブを形成するように一端において曲げられた鋼板からなる。腕の不作動位置から腕のドア妨害位置まで腕を移動することは、ソレノイドが解除腕を自由にするとき、潜在エネルギを解除するスプリングによって達成される。このソレノイドから離れて、腕の不作動位置から腕のドア妨害位置までスプリングを付勢しながら腕を駆動するようにモータが設けられている。
【０００６】
特に有利な妨害位置に腕を維持するように特定された手段がない。作動のさいに、約１８０度にわたって腕が振れ、所望の妨害をする以前にドア板に衝撃さえも与える。この格別の従来実施例は、正確なドア妨害を達成することができない過剰複雑ドア妨害システムを与える。
【０００７】
ＷＯ００／７３６０９Ａ１の別の実施例は、妨害腕を枢動するように用いられるラム駆動（すなわち、液圧）ピストンを与える。このシステムの制御は、その出願には詳細に述べられていない。このような制御を達成する手段は、実施するのに特に困難であることを見出すであろう当業者にとって残されたままである。
【発明の開示】
【発明が解決しようとする課題】
【０００８】
本発明は、ドア板が開放される角度を拘束する改善されたシステムを提供することを目指している。
【０００９】
本発明の目的の１つは、安い費用で迅速製造を可能にする最少数の要素を持ったシステムを提供することにある。
【００１０】
本発明の別の目的は、正確に制御される鎖錠腕を提供することにある。
【００１１】
本発明の別の狙いは、強行侵入を防止する能力に関して改善されたシステムを提供することにある。
【００１２】
本発明の別の目的は、ドアが開く方向にかかわらずドアの縁に隣接して配置され、かつ、保安システムの使用者によって一方の位置から他方の位置へ移動できるシステムを提供することにある。
【００１３】
種々の抑止および／または識別システムは、この公開されたＷＯ００／７３６０９Ａ１文献に熟考されている。可聴および／または可視警報器、可視画像検出手段、染料解放および圧力感知付加機器がすべて包含され、一般にその文献は任意の特別の好適設計に集中せずになされうる巧みな広範囲概観を与え、したがって、特に有利なおよび／または識別システムを提案することが本発明の別の目的である。
【課題を解決するための手段】
【００１４】
最も広い観点においては、本発明は、ドア板が開かれる角度を制限する保安システムを提供する。その保安システムは、ドア板の開閉を妨害しない不作動位置からそれが所定の制限角度を超えたドア板の開放を妨害する作動位置まで選択的に作動される。保安システムは、
使用時にドア板の開口縁に隣接して装着されるシャシと、
シャシに装着された電気的作動子と、
いかなる空動き機構なしに作動子によって駆動されるように、作動子と連携して動作する腕と
からなることを特徴とする。
【００１５】
この特徴の組合せは、この種のドア鎖錠システムを有利に単純化する。腕の必要な動きを達成するのに要する要素の数を劇的に減少する。したがって、この改良版はいっそう経済性に優れるものである。
【００１６】
この構成の別の利点は、作動子が腕を駆動するように作動子と連携して腕が動作するので、腕の位置はより正確に制御される。
【００１７】
最も広い観点にもとづく本発明の副次的観点は、作動子が前記腕を回転駆動するシステムを提供する。
【００１８】
作動子が腕を回転するようにこのシステムを構成することは、作動子が腕の正確な角度位置決めを容易にするので、特に有利である。
【００１９】
本発明の最も広い独立観点にもとづく別の副次的観点においては、作動子はモータであり、腕はモータ出力シャフトが回転したとき腕がそれに伴って回転するようにモータ出力シャフトに直接装着される。
【００２０】
腕をモータ出力シャフトに直接に装着することによって中間歯車機構なしに腕を駆動するようにモータを使用する決定が、この観点の中心である。これは、必要なときに腕がドア板を物理的に妨害するならば、腕自体が軽量要素のみであるべきであると言う根本的認識から由来する。開放ドア板の経路における障害としての単なる物理的存在が実際に要求されるすべてであるので、ＷＯ００／７３６０９Ａ１の開示に対比して、腕が構造的に複雑である必要性はない。
【００２１】
腕をモータ出力シャフトに直接に装着することは、また腕の位置の有利な制御を可能にする。
【００２２】
本発明の別の観点においては、シャシ装着手段は、使用のさいにシャシが装着されるとき、中間ドア・フレーム等に主に固定されると言うよりはむしろ壁、隔壁またはその他のドアを包囲する基礎荷重支持構造体に主に固定される種類のものである。
【００２３】
主に中間フレームよりもむしろ壁に主にシャシを装着することは、このシステムの妨害能力をさらに改善する。
【００２４】
別の副次的観点においては、作動子はモータであり、モータは使用のさいに非歩進（step-by-step）回転を発生するように直流の下で動作する。
【００２５】
ＷＯ００／７３６０９Ａ１において、意図されたモータは、ＡＣ電流によって給電されるステップモータである。この種のモータは急速回転を行うが、しかし、それは比較的に複雑な制御機能を要求することがよく知られている。腕の移動のみの短い距離（したがって、比較的緩い振れ円弧）が腕をドア板縁との妨害係合を実際にもたらす必要があるすべてであると言う認識から由来するので、本発明はこの従来文献からの基本的出発を特徴付ける。本発明におけるモータの選択は、腕を駆動するのに要求される要素を単純化することにさらに貢献する。この構造は、例えば、低トルク１２ボルト・モータを採用し、正確な妨害を達成し、不作動位置から妨害位置までの十分な急速運動を達成する。このことから由来する別の認識は、したがってＷＯ００／７３６０９Ａ１の第１実施例における腕振れ円弧が制限されている（その図示実施例（図３）におけるように、せいぜい１８０度までである。）ことである。
【００２６】
本発明の別の好適副次的観点においては、下記の特徴が明らかである。
【００２７】
腕は、その不作動位置からそのドア板妨害位置まで動くとき、約１２０度以下の回転をする。
【００２８】
不作動位置から妨害位置までの腕の枢動円弧は、少なくとも３０度、有効には３０−１００度の範囲内にある。
【００２９】
不作動位置から妨害位置までの腕の枢動円弧は、９０−１００度の範囲内にあることが好ましい。
【００３０】
あらゆる想像できる（しかし、それ自体は個々には知られているが）別の付加を列挙する散弾銃侵入に関しては、再び本発明は、まったく新規な考察を支持してこれを拒絶する。理想的には、本発明を採用する保安システムは、有用性および広範囲な作用の発明的組合せを真に与えるそれらの特徴のみを組み入れる。
【００３１】
ドア板の任意の開口−または特定の検知圧力を超える意図された開口−が、例えば、紫外線によって弁別される種類の液体システムからのダンピングを自動的に誘発し、任意の液体を付けた人が一旦同定されてしまうと、その特別の液体から起こる保安システムが疑いの余地なく確立される。
【００３２】
別の副次的観点においては、使用中のシャシを主包囲荷重支持構造体に固定する手段が、もし必要ならばドア板を包囲するフレームを通過し、ドアを包囲する主荷重支持構造体まで一体にして通過するのに十分な長さの角根丸頭ボルト等からなる。
【００３３】
本システムがその鎖錠能力を強化し、したがって強行侵入の傾向を低減するので、上記特徴を本システムに組み込むことは、格別に有利である。
【００３４】
別の副次的観点においては、作動子はモータであり、ドア板妨害位置へおよびそこから外れる腕の動きは、その他の腕強制手段を実質的に採用せずにモータ出力シャフトの回転によって単独になされる。
【００３５】
この格別な構造は、システムおよびその組立体の機能中に単純化を可能にするために、最少要素を持ったこの種のシステムのさらに改善された変形を提供する。
【００３６】
別の追加の観点においては、作動子は、離間されている間にドア板の面にほぼ平行な作用線にそってドア板妨害位置へおよびそこから外れて腕を変移させる。
【００３７】
この観点は、腕が妨害位置へおよびそこから外れて移動するとき、腕によって保護される必要移動距離を最少にするので、特に有利である。
【００３８】
別の観点においては、不作動位置にある腕がドア板隣接縁の軸を横切らないように、作動子と連携して動作する。
【００３９】
この最後の観点は、ドア板の開放方向にかかわらず、ドア板に隣接してシステムを配置できるので、特に有利である。
【発明を実施するための最良の形態】
【００４０】
図面は、包囲煉瓦造り１３に固定された類似の慣用フレーム１２内で（図示されていない手段によって）従来通りに枢動連結されたドア板１１の開口縁領域を概略的に示す。煉瓦造り１３は、ドア開口が切り開かれた主荷重支持構造体を形成する。
【００４１】
本実施例においては、シャシ１４は、公知の種類の角根丸頭ボルト１５によって煉瓦造り１３に直接装着される。ボルト１５は、ドア・フレーム１２の頂部レールの上方にシャシ１４を定置する。ボルト１５が十分な長さである限り、ボルト１５が最終的に埋め込まれる煉瓦造り１３にボルト１５が入る以前に、ボルト１５が頂部レールを通過する状態にして、シャシ１４と煉瓦造り１３との間にフレーム１２の頂部レールを挟み付けるようにシャシ１４が装着され得ない明らかな理由はないが、この好適直接煉瓦造り装着は、後に明らかになるように、より有利である。
【００４２】
シャシ１４は、角根丸頭ボルト１５が図示するように突出する背板と、着脱自在箱形カバー１６とからなる。図に示すカバー１６は、平面および立面で長方形であり、従来の形体をしていてもよい。カバー１６をシャシ１４の背板を支持する角根丸頭ボルト１５に着脱自在に固定する手段は、公知の変形例から同様に選択されてもよい。
【００４３】
カバー１６の内側には図示されていないが、慣用の１２ボルト低トルクギヤー無し電動機（モータ）が定置される。その出力シャフト１７は、カバー１６の下側からドア・フレーム１２の頂部レールの前面でカバーの適切な穴を通り突出している。図示するように直角タブで終了するＴ字形軽量金属腕１８が、出力シャフト１７の先端に固定される。前述の文献に開示された侵入者感知手段によるモータの作動が、出力シャフト１７を駆動し、図示する破線位置に腕１８を動かす。
【００４４】
破線位置においては、腕１８の端タブは、ドア板１１を矢印Ａの方向に比較的少量以上の開きを物理的に妨害する。したがって、権限のない侵入者は入ることを防止される。腕１８を図示した不作動位置に置くことは、公知の変形例によって達成され、また、図示するように、腕はその不作動位置からその作動位置まで約９０度だけ回転する。
【００４５】
カバー１６の前面にある接近検出器２１は、ドアの外にいる者の存在を監視するようにビデオカメラまたはその他の機器に連結される。しかし、実際の好適実施例においては、システムからの連通口は、ビデオカメラ監視のみならず、保健警報ループ、警官位置警告ループ、またはその他の適切な接続を可能にし、これらはシステムの残りのものと一緒に十分にデジタル制御される。
【００４６】
近接検出器２１がシャシ箱の一部として示されている。それは、（この実施例においては図示されていないが）ドアまたは建物の外側にあってもよく、個人がドア付近で検出されたとき、不作動位置から作動位置まで腕の移動を自動的に開始する。この構成においては、ドア保安システムはいかなる手動作動をも必要とせず、接近は自動制御の下で有利である。この格別の構成においては、不作動位置への腕の戻りが自動よりはむしろ手動でなされることが直視される。
【００４７】
いわゆるダイダンプ（ｄｙｅ−ｄｕｍｐ）が、システムに組み入れられる。これは、ＷＯ００／７３６０９Ａ１において考察されているが発展されていない。そこでは詳細に欠けているが（「ダイダンプ」という用語は文字通りには違法であることを包含できる）、本発明は、例えば、ＳＭＡＲＴ  ＷＡＴＥＲ（ＳＭＡＲＴ  ＷＡＴＥＲ  ＬＩＭＩＴＥＤの登録商標）の名の下で現在公知の形式のものを紫外線識別液の使用のために特に設けている。そのＳＭＡＲＴ  ＷＡＴＥＲは、カバー１６内の適切組込み容器に収容され、ドア板が開放された後、特に使用中の腕１８の妨害存在を超えてドア板を強行作用するように試みられたならば、権限のない侵入者に自動的に噴霧される。
【００４８】
この液体は、電気的制御ネジ内蔵弁によって放出される。その弁は、プリセットされたドア開放条件の下で（またはドアが実際に開放されているか否かにかかわらず、所定の圧力検知条件の下で）自動的に作動し、また、特別の容器から散布される液体がその容器から出たものとして独特に識別されうる点で、異なる「タグ」を有する各容器の貯蔵から供給される。
【００４９】
この液体は常態では見られないが、例えば、紫外線の下では直ちに見られると言う特徴がある。閉じられたドアから侵入したまたは侵入しようとした者は、次に、仮にその者が防護のときにそれを実感しなくても、その効果がなくなる前に、かなり長時間識別される。一旦そのように識別されると、侵入者が付けられた特別液体の固有の「指紋」が、特別の保安システム施設の進路に設けられた容器に直ちに戻って追跡され、したがってそのシステムに最近記録された侵入試行に対して疑いの余地なく侵入者を拘束する。
【００５０】
シャシ１４を硬い平らな非破壊煉瓦造り１３に装着することは、腕１８のタブを最適最少長さにする。全体のシャシ／モータ／腕ユニットは使用中不当に可撓性ではないからである。それに反して、ドア・フレームをかいしてシャシを装着することは、荷重の下では不当に可撓性を許し、タブがこの可能性を許すために保安限界長さを有しなければならない。好適例は、それにもとづいて整頓され、繰返し使用による汚れが少なくなる傾向にある。
【００５１】
図２は、本発明の別の実施例を示す。そこでは、ドア保安システムが参照番号２２で表されている。ドア保安システム２２はシャシ２３からなる。シャシ２３は、ネジ手段２４、２５のみが図に現れている適切な４つのネジ手段をかいして壁２６に取り付けられる。ネジ手段２５は、ドア・フレーム２７の一部を横断し、壁２６内に延びていて、壁が主荷重支持構造体として良好に作用することを保証する。
【００５２】
シャシ２３は、実質的に箱形に形成され、ロータ２８を収容するのに十分なサイズになっている。ロータ２８は、作動されたときに腕３０の変移を起こすために上下動するネジ機構２９に連携して動作する。ピボット点３１は、ロータ２８およびネジ機構２９によって形成された直線作動子による小変移が自由先端３２において腕３０の大変移を生じるように、腕３０の長さの四分の一の点に配置される。この格別の構成は、それが直線作動子の要求された変移を効率的に利用し、したがって全動力消費を低減するので、有利である。このことは、直線作動子が本発明の１つの格別に有利な観点において評価されたようにＤＣ電流によって駆動されるときに、特に重要である。
【００５３】
この実施例においては、腕は直線作動子と滑動自在に係合するように適応され、また、ネジ機構は腕が重力で枢動しないように保持手段（図示せず）からなることが配慮されている。腕の断面は本実施例において重要な考慮事項であり、本出願人はＩ字形断面がこのシステムの格別な荷重条件に特に適していることを考えている。
【００５４】
図２は、ドア保安システム２２がドア板１１を自由に開かせる開放構造にあるドア保安システムを示す。この構造から、ロータ２８は、腕３０がその妨害位置に到達するまで、ピボット点３１の周りで時計方向に腕３０を枢動させるように上方にネジ機構２９を駆動する。
【００５５】
その妨害位置においては、荷重はピボット点３１をかいしてシャシに、ネジ取付け手段（２つの手段２４、２５が図示されている）をかいして壁またはその他の荷重支持構造体に主に伝達される。
【００５６】
ドア保安システム２２は、ドアそれ自体の要素を含まず、したがってそれを含む従来システムから基本的にドア保安システム自体を識別している。
【００５７】
本発明は、長期にわたるドア保安システム２２の繰返し動作から生じるドア面に対するいかなる損傷（仮に起こりそうもなくとも）を防止するように、腕３０の自由先端に緩衝手段３３を組み込むことを意図している。
【００５８】
図３は、別のドア保安システム３４を示す。前述の実施例におけるように、それは直線作動子手段３６を包囲するように設計されたシャシ３５を含む。この直線作動子手段３６は、腕３７がドア板３８の面Ｆにほぼ平行な作用線にそってシャシから突出・後退するように、腕３７を駆動する。図３は、腕３７がシャシから十分に延ばされた妨害モードにある状態を示す。この構造においては、ドア板３８は、小包のような小物体の取出・通過を許すように内外からの可視連通に十分に適し、同時にいかなる者もドアの外から内に入り込めないようにした部分的開放位置に腕３７に対して維持される。ドアが閉じられているとき（図示されていない）、腕の直線作用はドア板３８の面Ｆに（そこから離間されて）ほぼ平行である。
【００５９】
本発明はまた、警告がドア板の外側に貼られ、例えば、次のことからなる情報を表示するのに適していることを意図している。
「警告の文字（あなたはＣＣＴＶによって撮影されています。）」
「一般に認識されている用語において権限に関連している例えば、警察犬の横顔または警察官の人影を表す図案またはロゴ」
「明確な文字（このドアは警報が付けられ、最寄りの地域にある警察署に電子的に接続されています。）」
【００６０】
本発明においては、この種の自己粘着剤、自己表示またはその他の警告がドア板自体にまたは任意の訪問者によって容易に見られる付近に組み付けられることを意図している。これらの自己粘着剤等は、本発明に関連してまたはそれら自身の権利においてのみ使用するために地方警察署（特に行政機関に対して）によって供給される。
【図面の簡単な説明】
【００６１】
【図１】使用時にドア板の開口縁に隣接して装着された本発明を実施する保安システムの概略斜視図である。
【図２】本発明の別の実施例における保安システムの概略側面断面図である。
【図３】本発明の別の実施例における保安システムの概略側面断面図である。
【符号の説明】
【００６２】
１１    ドア板                            １２    ドア・フレーム
１２    慣用フレーム                      １３    煉瓦造り
１４    シャシ                            １５    角根丸頭ボルト
１６    着脱自在箱形カバー                １７    出力シャフト
１８    Ｔ字形軽量金属腕                  ２１    近接検出器
２２    ドア保安システム                  ２３    シャシ
２４、２５    ネジ手段                    ２６    壁
２７    ドア・フレーム                    ２８    ロータ
２９    ネジ機構                          ３０    腕
３１    ピボット点                        ３３    緩衝手段
３６    直線作動子手段                    ３７    腕
３８    ドア板
【図１】
2004538405.tif 000003
【図２】
2004538405.tif 000004
【図３】
2004538405.tif 000005
【国際公開パンフレット】
2004538405.tif 000006
2004538405.tif 000007
2004538405.tif 000008
2004538405.tif 000009
2004538405.tif 000010
2004538405.tif 000011
2004538405.tif 000012
2004538405.tif 000013
2004538405.tif 000014
2004538405.tif 000015
2004538405.tif 000016
2004538405.tif 000017
2004538405.tif 000018
2004538405.tif 000019
2004538405.tif 000020
2004538405.tif 000021
2004538405.tif 000022
2004538405.tif 000023
2004538405.tif 000024
2004538405.tif 000025
2004538405.tif 000026
【国際調査報告】
2004538405.tif 000027
2004538405.tif 000028